(57)【要約】【課題】プリントされた画像のプリント結果情報を記録したレポートを出力する装置および方法を提供する。【解決手段】写真などの画像データをプリント出力する装置において、プリント出力を実行したデータのプリント結果情報、例えば、ユーザの指定プリント枚数と出力枚数の情報や、プリント出力画像のレイアウト情報、プリント出力日時情報、良好なプリントが実行されたか否かなどを記録したプリント結果情報をユーザ要求に応じて出力する。本構成により、ユーザは、出力済みのプリント画像データと、出力結果レポートを併せて取得することができ、後日、出力結果レポートを参照することで、どの画像をどのような態様で出力したかを確認することが可能となる。【選択図】図２
2008012711.tif 000002
【特許請求の範囲】
【請求項１】
画像データのプリント出力処理を実行する情報処理装置であり、
プリント画像に関する表示データの生成処理を実行する表示情報生成部と、
プリント態様についてのユーザ指定情報を入力するユーザ入力部と、
プリント出力画像のプリント結果情報を記録したレポートを生成するレポート生成部と、
前記ユーザ指定情報に従って画像のプリントを実行するとともに、前記レポート生成部の生成したレポートのプリント処理を実行するプリント制御部と、
を有することを特徴とする情報処理装置。
【請求項２】
前記表示情報生成部は、
前記レポートの出力有無について、ユーザによる指定を求める表示情報を生成し、
前記レポート生成部は、
前記ユーザ入力部を介するレポート出力のユーザ要求に基づいてレポート生成処理を実行する構成であることを特徴とする請求項１に記載の情報処理装置。
【請求項３】
前記レポート生成部は、
プリント出力画像のレイアウト情報を含むレポートを生成する処理を実行する構成であることを特徴とする請求項１に記載の情報処理装置。
【請求項４】
前記レポート生成部は、
プリント出力画像の結果として、ユーザ指定枚数の出力が完了したか否かを示す情報を記録したレポートを生成する処理を実行する構成であることを特徴とする請求項１に記載の情報処理装置。
【請求項５】
前記レポート生成部は、
ユーザ指定のプリント指定枚数とプリント出力実行枚数とを記録したレポートを生成する処理を実行する構成であることを特徴とする請求項１に記載の情報処理装置。
【請求項６】
前記レポート生成部は、
プリント出力を実行した枚数の総計情報を記録したレポートを生成する処理を実行する構成であることを特徴とする請求項１に記載の情報処理装置。
【請求項７】
前記レポート生成部は、
プリント出力を実行した日時情報を記録したレポートを生成する処理を実行する構成であることを特徴とする請求項１に記載の情報処理装置。
【請求項８】
前記レポート生成部は、
ユーザ指定に応じて白黒レポートまたはカラーレポートのいずれかのレポートを生成する処理を実行する構成であることを特徴とする請求項１に記載の情報処理装置。
【請求項９】
情報処理装置において、画像データのプリント出力およびレポート生成処理を実行する情報処理方法であり、
表示情報生成部において、プリント画像に関する表示データの生成処理を実行する表示情報生成ステップと、
ユーザ入力部を介して、プリント態様についてのユーザ指定情報を入力するユーザ指定情報入力ステップと、
プリント制御部において、前記ユーザ指定情報に従って画像のプリントを実行する画像プリント実行ステップと、
レポート生成部において、プリント出力画像のプリント結果情報を記録したレポートを生成するレポート生成ステップと、
プリント制御部において、前記レポート生成部の生成したレポートのプリント処理を実行するレポートプリントステップと、
を有することを特徴とする情報処理方法。
【請求項１０】
前記表示情報生成ステップは、
前記レポートの出力有無について、ユーザによる指定を求める表示情報を生成し、
前記レポート生成ステップは、
前記ユーザ入力部を介するレポート出力のユーザ要求に基づいてレポート生成処理を実行することを特徴とする請求項９に記載の情報処理方法。
【請求項１１】
前記レポート生成ステップは、
プリント出力画像のレイアウト情報を含むレポートを生成することを特徴とする請求項９に記載の情報処理方法。
【請求項１２】
前記レポート生成ステップは、
プリント出力画像の結果として、ユーザ指定枚数の出力が完了したか否かを示す情報を記録したレポートを生成する処理を実行することを特徴とする９に記載の情報処理方法。
【請求項１３】
前記レポート生成ステップは、
ユーザ指定のプリント指定枚数とプリント出力実行枚数とを記録したレポートを生成する処理を実行することを特徴とする９に記載の情報処理方法。
【請求項１４】
前記レポート生成ステップは、
プリント出力を実行した枚数の総計情報を記録したレポートを生成する処理を実行することを特徴とする９に記載の情報処理方法。
【請求項１５】
前記レポート生成ステップは、
プリント出力を実行した日時情報を記録したレポートを生成する処理を実行することを特徴とする９に記載の情報処理方法。
【請求項１６】
前記レポート生成ステップは、
ユーザ指定に応じて白黒レポートまたはカラーレポートのいずれかのレポートを生成する処理を実行することを特徴とする９に記載の情報処理方法。
【請求項１７】
情報処理装置において、画像データのプリント出力およびレポート生成処理を実行させるコンピュータ・プログラムであり、
表示情報生成部において、プリント画像に関する表示データの生成処理を実行させる表示情報生成ステップと、
ユーザ入力部を介して、プリント態様についてのユーザ指定情報を入力するユーザ指定情報入力ステップと、
プリント制御部において、前記ユーザ指定情報に従って画像のプリントを実行させる画像プリント実行ステップと、
レポート生成部において、プリント出力画像のプリント結果情報を記録したレポートを生成させるレポート生成ステップと、
プリント制御部において、前記レポート生成部の生成したレポートのプリント処理を実行させるレポートプリントステップと、
を実行させることを特徴とするコンピュータ・プログラム。
【発明の詳細な説明】
【技術分野】
【０００１】
本発明は、情報処理装置、および情報処理方法、並びにコンピュータ・プログラムに関する。さらに、詳細には、例えばデジタルカメラなどにおいて撮影された写真をプリント出力する構成において、プリント出力結果についてのレポートを併せて出力する情報処理装置、および情報処理方法、並びにコンピュータ・プログラムに関する。
【背景技術】
【０００２】
昨今、デジタルカメラが普及し、また携帯電話にもカメラ機能が付加されており、ユーザは手軽に多数の写真を撮影し、フラッシュメモリやハードディスクなどの様々な記録媒体に蓄積することができる。このような記録媒体に記録された画像データは、例えばＰＣなどの情報処理装置において実行されるアプリケーションを利用することで縮小画像（サムネイル）のリスト表示が可能であり、例えば、ユーザは表示リストから選択した画像をプリンタによって出力することができる。
【０００３】
また、画像を記録した記録媒体をコンビニエンスストアなどに設置された端末にセットして所定の利用料金を支払うことで、端末のディスプレイに画像リストを表示させ、ユーザが画像選択を行い、選択画像を端末に付属するプリンタを介してプリントアウトするサービスも実用化されている。
【０００４】
ユーザは、ディスプレイに画像リストの表示を行い、プリントする画像の選択を行なって、プリントアウトを行なう。ユーザは、画像の選択指定や出力枚数の指定が可能であり、指定情報は、ディスプレイにおいて確認可能であるが、選択された画像のプリント出力が終了すると、ユーザが指定した情報やプリント結果についての情報は、記録として残らず、ユーザが後で確認することができないという問題がある。なお、プリントする情報をディスプレイに表示する構成については、例えば特許文献１に記載されている。
【特許文献１】特開２００１−０４５３３９号公報
【発明の開示】
【発明が解決しようとする課題】
【０００５】
本発明は、上述の問題点に鑑みてなされたものであり、デジタルカメラなどによって撮影された画像のプリント出力が可能な構成において、プリント出力に際してユーザが指定した情報やプリント結果についての情報をレポートとして出力可能とした情報処理装置、および情報処理方法、並びにコンピュータ・プログラムを提供することを目的とする。
【課題を解決するための手段】
【０００６】
本発明の第１の側面は、
画像データのプリント出力処理を実行する情報処理装置であり、
プリント画像に関する表示データの生成処理を実行する表示情報生成部と、
プリント態様についてのユーザ指定情報を入力するユーザ入力部と、
プリント出力画像のプリント結果情報を記録したレポートを生成するレポート生成部と、
前記ユーザ指定情報に従って画像のプリントを実行するとともに、前記レポート生成部の生成したレポートのプリント処理を実行するプリント制御部と、
を有することを特徴とする情報処理装置にある。
【０００７】
さらに、本発明の情報処理装置の一実施態様において、前記表示情報生成部は、前記レポートの出力有無について、ユーザによる指定を求める表示情報を生成し、前記レポート生成部は、前記ユーザ入力部を介するレポート出力のユーザ要求に基づいてレポート生成処理を実行する構成であることを特徴とする。
【０００８】
さらに、本発明の情報処理装置の一実施態様において、前記レポート生成部は、プリント出力画像のレイアウト情報を含むレポートを生成する処理を実行する構成であることを特徴とする。
【０００９】
さらに、本発明の情報処理装置の一実施態様において、前記レポート生成部は、プリント出力画像の結果として、ユーザ指定枚数の出力が完了したか否かを示す情報を記録したレポートを生成する処理を実行する構成であることを特徴とする。
【００１０】
さらに、本発明の情報処理装置の一実施態様において、前記レポート生成部は、ユーザ指定のプリント指定枚数とプリント出力実行枚数とを記録したレポートを生成する処理を実行する構成であることを特徴とする。
【００１１】
さらに、本発明の情報処理装置の一実施態様において、前記レポート生成部は、プリント出力を実行した枚数の総計情報を記録したレポートを生成する処理を実行する構成であることを特徴とする。
【００１２】
さらに、本発明の情報処理装置の一実施態様において、前記レポート生成部は、プリント出力を実行した日時情報を記録したレポートを生成する処理を実行する構成であることを特徴とする。
【００１３】
さらに、本発明の情報処理装置の一実施態様において、前記レポート生成部は、ユーザ指定に応じて白黒レポートまたはカラーレポートのいずれかのレポートを生成する処理を実行する構成であることを特徴とする。
【００１４】
さらに、本発明の第２の側面は、
情報処理装置において、画像データのプリント出力およびレポート生成処理を実行する情報処理方法であり、
表示情報生成部において、プリント画像に関する表示データの生成処理を実行する表示情報生成ステップと、
ユーザ入力部を介して、プリント態様についてのユーザ指定情報を入力するユーザ指定情報入力ステップと、
プリント制御部において、前記ユーザ指定情報に従って画像のプリントを実行する画像プリント実行ステップと、
レポート生成部において、プリント出力画像のプリント結果情報を記録したレポートを生成するレポート生成ステップと、
プリント制御部において、前記レポート生成部の生成したレポートのプリント処理を実行するレポートプリントステップと、
を有することを特徴とする情報処理方法にある。
【００１５】
さらに、本発明の情報処理方法の一実施態様において、前記表示情報生成ステップは、前記レポートの出力有無について、ユーザによる指定を求める表示情報を生成し、前記レポート生成ステップは、前記ユーザ入力部を介するレポート出力のユーザ要求に基づいてレポート生成処理を実行することを特徴とする。
【００１６】
さらに、本発明の情報処理方法の一実施態様において、前記レポート生成ステップは、プリント出力画像のレイアウト情報を含むレポートを生成することを特徴とする。
【００１７】
さらに、本発明の情報処理方法の一実施態様において、前記レポート生成ステップは、プリント出力画像の結果として、ユーザ指定枚数の出力が完了したか否かを示す情報を記録したレポートを生成する処理を実行することを特徴とする。
【００１８】
さらに、本発明の情報処理方法の一実施態様において、前記レポート生成ステップは、ユーザ指定のプリント指定枚数とプリント出力実行枚数とを記録したレポートを生成する処理を実行することを特徴とする。
【００１９】
さらに、本発明の情報処理方法の一実施態様において、前記レポート生成ステップは、プリント出力を実行した枚数の総計情報を記録したレポートを生成する処理を実行することを特徴とする。
【００２０】
さらに、本発明の情報処理方法の一実施態様において、前記レポート生成ステップは、プリント出力を実行した日時情報を記録したレポートを生成する処理を実行することを特徴とする。
【００２１】
さらに、本発明の情報処理方法の一実施態様において、前記レポート生成ステップは、ユーザ指定に応じて白黒レポートまたはカラーレポートのいずれかのレポートを生成する処理を実行することを特徴とする。
【００２２】
さらに、本発明の第３の側面は、
情報処理装置において、画像データのプリント出力およびレポート生成処理を実行させるコンピュータ・プログラムであり、
表示情報生成部において、プリント画像に関する表示データの生成処理を実行させる表示情報生成ステップと、
ユーザ入力部を介して、プリント態様についてのユーザ指定情報を入力するユーザ指定情報入力ステップと、
プリント制御部において、前記ユーザ指定情報に従って画像のプリントを実行させる画像プリント実行ステップと、
レポート生成部において、プリント出力画像のプリント結果情報を記録したレポートを生成させるレポート生成ステップと、
プリント制御部において、前記レポート生成部の生成したレポートのプリント処理を実行させるレポートプリントステップと、
を実行させることを特徴とするコンピュータ・プログラムにある。
【００２３】
なお、本発明のコンピュータ・プログラムは、例えば、様々なプログラム・コードを実行可能なコンピュータシステムに対して、コンピュータ可読な形式で提供する記憶媒体、通信媒体、例えば、ＣＤやＦＤ、ＭＯなどの記録媒体、あるいは、ネットワークなどの通信媒体によって提供可能なコンピュータ・プログラムである。このようなプログラムをコンピュータ可読な形式で提供することにより、コンピュータシステム上でプログラムに応じた処理が実現される。
【００２４】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２５】
本発明の構成によれば、例えば、記録媒体に記録された写真などの画像データをプリント出力する装置において、プリント出力を実行したデータのプリント結果情報、例えば、ユーザの指定プリント枚数と出力枚数の情報や、プリント出力画像のレイアウト情報、プリント出力日時情報、良好なプリントが実行されたか否かなどを記録したプリント結果情報をユーザ要求に応じて出力する構成としたので、ユーザは、出力済みのプリント画像データと、出力結果レポートを併せて取得することができ、後日、出力結果レポートを参照することで、どの画像をどのような態様で出力したかを確認することが可能となる。
【発明を実施するための最良の形態】
【００２６】
以下、図面を参照しながら本発明の情報処理装置、および情報処理方法、並びにコンピュータ・プログラムの詳細について説明する。
【００２７】
本発明の情報処理装置は、例えばデジタルカメラや携帯電話において撮影されフラッシュメモリなどの記録媒体に記録された画像データを読み出してプリント出力する制御を実行するＰＣや、あるいはコンビニなどに設置されたプリントサービス端末などの情報処理装置である。本発明の情報処理装置は、記録媒体に記録された画像データを読み出してその縮小画像（サムネイル）をディスプレイにリスト表示する。ユーザは、表示リストからプリント対象としての画像を選択し、さらにプリント態様、例えばプリントサイズや枚数、レイアウトなどを指定してプリントを行なう。
【００２８】
以下、図面を参照して、本発明の情報処理装置の構成および処理の詳細について説明する。図１は、本発明の情報処理装置の利用形態を説明する図である。図１において、本発明の情報処理装置は、情報処理装置（ＰＣ）１２１あるいはコンビニなどに設置されたプリントサービス端末としての情報処理装置１２２などである。
【００２９】
例えばデジタルカメラ１０１や携帯電話１０２などを利用して撮影された写真などの画像データは、フラッシュメモリなどの記録媒体１０３，１０４に格納される。情報処理装置１２１，１２２は、記録媒体１０３，１０４を装着し、装着された記録媒体１０３，１０４から、画像データを読み出して、ディスプレイに画像リストとして表示する。表示データは、例えば縮小画像（サムネイル画像）のリストである。
【００３０】
このように、情報処理装置１２１，１２２は、例えば、記録媒体１０３，１０４をセットするメデイアスロットを有し、記録媒体に記録された画像データを読み取って一覧リストをディスプレイに表示する処理を実行する。さらに、ユーザによる指定情報を入力手段を介して入力する。例えばキーボードや、ディスプレイと一体となったタッチパネルなどを介してユーザからの指定情報を入力し、指定情報に従ったプリント処理を実行する。ユーザ指定情報には、例えばプリント対象とする画像の選択情報、各画像の出力サイズや枚数、出力レイアウトなどの出力態様情報などが含まれる。
【００３１】
図２以下を参照して、本発明の情報処理装置の実行する具体的な処理例について説明する。図２は、本発明の情報処理装置２００の構成を示すブロック図である。情報処理装置２００は、図２に示すように、記憶部２０１、データ入力部（メディアスロット）２０２、データ処理部２０３、表示情報生成部２０４、表示部２０５、ユーザ入力部２０６、レポート生成部２０７、プリント制御部２０８を有する。
【００３２】
記憶部２０１は、ハードディスク、ＲＯＭ，ＲＡＭなどによって構成される記憶部であり、データ処理を実行するプログラムの記憶領域、データ処理を実行するためのワークエリアなどの記憶領域を含む。記憶部２０１には、プリント対象とする画像データも格納可能である。データ入力部（メディアスロット）２０２は、デジタルカメラや携帯電話などにおいて撮影された写真画像などのデータを記録した記録媒体（メディア）１５０のデータ読み取りを実行する。
【００３３】
データ処理部２０３は、データ入力部（メディアスロット）２０２にセットされた記録媒体（メディア）１５０、あるいは記憶部２０１から画像データを読み取り、表示情報生成部２０４に出力する。さらに、ユーザ入力部２０６からのユーザ指定情報を入力して、プリントする画像データを選択し、またレイアウト設定、プリントサイズ、プリント枚数の設定などを実行してプリント制御部２０８に画像データを送信して、ユーザ指定に対応したプリント処理の制御を実行する。
【００３４】
なお、記録媒体（メディア）１５０や記憶部２０１に格納された画像データは、例えば写真の記録データファイルとしてのＥｘｉｆファイル形式に設定されたデータである。表示情報生成部２０４は、例えば、データ処理部２０３から入力するデータに基づいて表示部２０５に表示するサムネイル画像のリストを生成する。
【００３５】
レポート生成部２０７は、ユーザ入力部２０６を介してレポート出力の指定がなされたことを条件として、プリントされた画像データの状況に応じた出力結果レポートを生成して、生成レポートを、プリント制御部２０８を介してプリントアウトする。
【００３６】
なお、データ処理部２０３や表示情報生成部２０４、レポート生成部２０７は、例えばユーザ入力部２０６から入力される各種指示情報、例えば表示情報の切り替えや、プリント指示、出力レポートの設定要求などに基づいて、ユーザ入力に対応する処理を実行する。
【００３７】
表示部２０５は、表示情報生成部２０４の生成した表示データ、すなわち、サムネイル画像からなる画像リストを表示するＬＣＤなどのディスプレイである。ユーザ入力部２０６は、例えばプリント対象とする画像の選択情報、表示切り替え、プリント実行などの入力を実行する入力部である。なお、表示部２０５をタッチディスプレイとすることで、表示部２０５とユーザ入力部２０６を一体化した構成とすることが可能である。
【００３８】
プリント制御部２０８は、図示しないプリンタの制御を実行し、データ処理部２０３からの指示情報に基づいて画像のプリント処理を実行し、さらに、レポート生成部２０７の生成した出力結果レポートの出力を実行する。なお、プリント制御部２０８においては、写真などの画像出力は写真印刷用の専用用紙を適用して実行し、出力結果レポートの出力は一般の出力用紙に出力する用紙切り替えを実行する。なお、レポート出力は、ユーザ指定に応じて、カラーレポートまたは白黒レポートの出力が可能である。具体的な出力結果レポートの構成例については後述する。
【００３９】
次に、本発明の情報処理装置において処理対象となる画像データの構成例について説明する。図３は、記録媒体に記録されるファイルのデータ構成例を示す図である。各写真は、例えば、図３に示すようなデータ構成を持つＥｘｉｆファイルとして記録される。Ｅｘｉｆファイルは各写真データ毎に設定され、図３に示すように、ヘッダ２２１、サムネイルデータ２２２、画像データ２２３を持つ。
【００４０】
ヘッダ２２１は、写真の属性情報を記録する領域であり、図に示すように画素数、圧縮モード、撮影日時、機種名、露出、焦点距離などの撮影条件情報、色空間情報などが記録される。サムネイルデータ２２２は、縮小画像データの記録領域である。画像リストの表示処理の際には、このサムネイルデータが利用される。画像データ２２３は、実際の撮影画像データが記録される領域である。
【００４１】
図４は、表示情報生成部２０４が生成し、表示部２０５に表示されるプリント画像選択画面の例を示している。例えば、コンビニなどに設置されたプリントサービス端末としての情報処理装置のディスプレイには、まず、ユーザがメディアスロットにセットした記録媒体（メディア）から読み取った写真データのリストが表示され、その後、ユーザがプリント対象として選択した画像のみが選択表示される。図４に示す例は、ユーザがプリントする画像を選択した後の表示画面の例を示している。
【００４２】
図４は、ユーザによってプリント対象データとしてａａａ．ｊｐｇ〜ｄｄｄ．ｊｐｇの４枚の画像が選択された例を示している。画像表示領域３０１には、ユーザがプリント対象として選択した画像のサムネイル画像３１１、および出力枚数指定情報３１２が表示される。多数の指定画像がある場合は、ページ設定情報入力部３０２を操作することで、順次、異なるページの表示が可能となる。
【００４３】
プリント料金表示部３０３には、ユーザの指定した画像のプリントに要する金額が提示される。さらに、画面右側には、プリント出力画像に対応する出力結果レポートの出力の要否に関する設定領域が設けられ、［レポートなし］設定ボタン３２１、［レポートあり（白黒）］設定ボタン３２２、［レポートあり（カラー）］設定ボタン３２３をユーザが選択可能な設定となっている。［プリント中止］ボタン３２４の操作によってプリントの中止が可能であり、［プリントスタート］ボタン３２５の操作によってプリントが開始される。さらに、その下部には、プリント出力枚数、投入金額、不足金額の状態情報表示領域３２６が設けられている。
【００４４】
ユーザは、この表示画面を確認し、必要な操作を行って画像表示領域３０１に表示された画像をプリントすることができる。また、［レポートあり（白黒）］設定ボタン３２２、［レポートあり（カラー）］設定ボタン３２３を操作することで、プリント出力された画像データに対応する出力結果レポートをプリント出力することができる。
【００４５】
出力結果レポートの構成例について、図５、図６を参照して説明する。図５、図６には（ａ）〜（ｄ）の４種類の出力結果レポート例を示している。各出力結果レポートの構成について説明する。
【００４６】
図５（ａ）に示す出力結果レポートは、図４に示す表示画面の設定に基づいて、すべての画像のプリントが行われた際に出力される出力結果レポートの例を示している。出力結果レポートには、図に示すように、
プリント出力日時と出力状況（良好または中止など）を表示するプリント属性情報部３５１、
プリント画像の縮小画像と画像ファイル名と、出力枚数とを表示したプリント画像情報部３５２、
出力した枚数の総計を示すプリント枚数情報部３５３、
これらの情報領域が含まれる。
【００４７】
プリント画像情報部３５２中の［ａａａ．ｊｐｇ］は、画像のファイル名を示している。［３／３］は、［出力枚数／ユーザ指定枚数］を示す情報である。図５（ａ）に示す例では、すべての画像ａａａ．ｊｐｇ〜ｄｄｄ．ｊｐｇについて、ユーザの指定枚数と同数のプリント出力が実行されたことを示している。すなわち、
画像ａａａ．ｊｐｇ：指定枚数＝３，出力枚数＝３
画像ｂｂｂ．ｊｐｇ：指定枚数＝２，出力枚数＝２
画像ｃｃｃ．ｊｐｇ：指定枚数＝１，出力枚数＝１
画像ｄｄｄ．ｊｐｇ：指定枚数＝１，出力枚数＝１
これらの各画像に対応する指定枚数、出力枚数に従ったプリント処理がなされたことを示している。この結果として、プリント属性情報部３５１には、出力結果が［良好］として設定されている。
【００４８】
この出力結果レポートは、一般的な例えばＡ４サイズの汎用用紙に出力され、写真の出力対象として選択される専用用紙とは異なる低コストの用紙に出力される。なお、先に図４を参照して説明した［レポートあり（白黒）］設定ボタン３２２を操作して出力結果レポートの出力を指定した場合は、出力結果レポート中の画像データは白黒データとして出力され、［レポートあり（カラー）］設定ボタン３２３を操作してレポート出力を指定した場合は、出力結果レポート中の画像データはカラーデータとして出力される。
【００４９】
ユーザは、プリントアウトされた画像データに併せて、このような出力結果レポートを取得することが可能であり、後日、出力結果レポートを参照することで、出力した画像データがどの画像データであったか、どのようなユーザ指定が行われたか、ユーザ指定に対応する正常な出力が実行されたかなどを確認することができる。
【００５０】
図５（ｂ）に示す出力結果レポートは、ユーザがプリントを途中で中止した場合に出力される出力結果レポートの例を示している。この例では、プリント画像情報部３５２に表示された［ａａａ．ｊｐｇ］〜［ｄｄｄ．ｊｐｇ］の画像中、［ａａａ．ｊｐｇ］に対応する画像を２枚プリントした時点で、プリント中止がなされたことを示す出力結果レポートである。
【００５１】
ユーザは、ａａａ．ｊｐｇ〜ｄｄｄ．ｊｐｇについて、それぞれ、図５（ａ）に示すレポートと同様のプリント指定枚数を設定したが、プリントの途中でプリントを中止した場合の出力結果レポートである。すなわち、プリント画像情報部３５２の表示から、
画像ａａａ．ｊｐｇ：指定枚数＝３，出力枚数＝２
画像ｂｂｂ．ｊｐｇ：指定枚数＝２，出力枚数＝０
画像ｃｃｃ．ｊｐｇ：指定枚数＝１，出力枚数＝０
画像ｄｄｄ．ｊｐｇ：指定枚数＝１，出力枚数＝０
これらの各画像に対応する指定枚数、出力枚数に従ったプリント処理が実行されたことを示している。すなわち、画像ａａａ．ｊｐｇの２枚のプリントがなされた後にプリントが中止されたことを示している。このように指定枚数と出力枚数とが異なる場合、レポート生成部は、プリントが途中で中止されたものと判断し、プリント属性情報部３５１の出力結果を［中止］として記録した出力結果レポートを出力する。
【００５２】
図６（ｃ）（ｄ）に示す出力結果レポートは、ユーザが、各画像を１枚ごとに出力する設定ではなく、１枚の出力用紙に複数の画像を併せて出力した場合の出力結果レポート構成を示している。情報処理装置においてプリント出力する画像は、１つの画像を１つの用紙に出力する態様のみではなく、複数の画像を１枚の用紙に並べて出力するレイアウト出力が可能な設定となっている。ユーザは、先に図４を参照して説明した表示画面を切り替えて、好みの出力レイアウトを設定することができる。例えば２枚以上の異なる画像を１枚の出力用紙に並べてプリントするレイアウト設定や、同じ画像を１枚の出力用紙に複数並べてプリントするレイアウト設定などが可能である。
【００５３】
図６（ｃ）（ｄ）に示す出力結果レポートは、このようなレイアウト出力に対応する出力結果レポート構成である。図６（ｃ）の出力結果レポートは、１枚の用紙に６つの異なる画像をレイアウトして出力した場合にレポート生成部２０７の生成する出力結果レポートである。図５を参照して説明したレポート構成と同様、
プリント出力日時と出力状況（良好または中止など）を表示するプリント属性情報部３５１、
プリント画像の縮小画像と画像ファイル名と、出力枚数とを表示したプリント画像情報部３５２、
出力した枚数の総計を示すプリント枚数情報部３５３、
これらの情報領域が含まれる。
【００５４】
図６（ｃ）に示す出力結果レポートでは、プリント画像情報部３５２には、プリント出力を実行した画像のレイアウトに対応するレイアウト配置で画像情報がプリントされる。さらに、各レイアウト位置に対応する画像ファイル情報［ａａａ．ｊｐｇ］〜［ｆｆｆ．ｊｐｇ］が、画像レイアウト情報の下部に記録され、さらに［出力枚数／ユーザ指定枚数］を示す情報［３／３］が記録されて出力される。プリント枚数情報部３５３には、出力合計枚数［３枚］が記録される。
【００５５】
ユーザは、この出力結果レポートを参照することで、６枚の画像を１枚の用紙に出力するレイアウト設定に基づいて３枚のレイアウト画像データのプリント出力が行われたことを知ることができる。
【００５６】
図６（ｄ）の出力結果レポートは、１枚の用紙に同じ１つの画像を２つ並べてレイアウト出力した場合にレポート生成部２０７の生成する出力結果レポートである。図６（ｄ）に示す出力結果レポートでは、プリント画像情報部３５２には、プリント出力を実行した画像のレイアウトに対応するレイアウト配置で画像情報がプリントされ、プリントされた画像ファイル情報［ａａａ．ｊｐｇ］が、画像レイアウト情報の下部に記録され、さらに［出力枚数／ユーザ指定枚数］を示す情報［１／１］が記録されて出力される。プリント枚数情報部３５３には、出力合計枚数［１枚］が記録される。
【００５７】
ユーザは、この出力結果レポートを参照することで、画像［ａａａ．ｊｐｇ］を２つ並べたレイアウト設定に基づいて１枚の画像データのプリント出力が行われたことを知ることができる。
【００５８】
次に、図７に示すフローチャートを参照して、本発明の情報処理装置の実行する処理シーケンスについて説明する。まず、ステップＳ１０１において、処理対象となる画像データを入力する。これは、図２に示すデータ入力部（メディアスロット）２０２にセットされたメディア１５０から、あるいはハードディスクなどの記憶部２０１から入力する。入力画像データは、例えば図３を参照して説明したＥｘｉｆファイル形式である。
【００５９】
ステップＳ１０２において、データ処理部および表示情報生成部は、表示情報を生成して表示部に表示し、ステップＳ１０３において、ユーザの指定情報を入力する。例えば、まず、ユーザがメディアスロットにセットした記録媒体（メディア）から読み取った写真データのリストが表示され、その後、ユーザの指定情報に基づいて、ユーザがプリント対象として選択した画像のみが選択表示される。具体的には、先に図４に参照して説明した表示データが表示される。さらに、図４に示す表示データに対して、出力結果レポートの出力有無などの指定情報の入力の後、プリント出力開始要求がユーザ入力される。すなわち、ステップＳ１０２、Ｓ１０３の処理は、ユーザ入力に基づく表示情報の更新を伴って繰り返し実行される処理である。
【００６０】
プリント開始に必要となるユーザの指定情報がすべて入力された後、プリント開始要求がなされると、ステップＳ１０４において、画像のプリントが開始される。この画像プリントは、データ処理部２０３の制御の下、画像ファイルから画像データが取り出され、プリント制御部２０８に出力されて実行される処理である。なお、この際には、ユーザによって指定された情報、例えば、プリントサイズ、枚数、レイアウト設定情報もプリント制御部２０８に出力されて、プリント制御部２０８は指定情報に従ったプリント出力を実行する。
【００６１】
その後、ステップＳ１０５において、出力結果レポートの出力の指定の有無を判定し、レポート出力の指定が無い場合は処理を終了する。レポート出力の指定がある場合は、ステップＳ１０６に進む。ステップＳ１０６では、レポート生成部２０７において、画像のプリント出力状況に応じた出力結果レポートを作成する。例えば、先に、図５、図６を参照して説明した各種の出力結果レポートがプリント出力状況に応じて生成される。
【００６２】
次に、ステップＳ１０７において、レポート生成部２０７において生成した出力結果レポートが、プリント制御部２０８を介してプリントアウトされる。なお、プリントされる出力結果レポートは、普通紙にプリントされ、ユーザの指定に応じて白黒レポートまたはカラーレポートとしてプリントされる。
【００６３】
ユーザは、出力済みのプリント画像データと、出力結果レポートを併せて取得することができ、後日、出力結果レポートを参照することで、例えば、どの画像をどのような態様で出力したかなどを確認することが可能となる。
【００６４】
最後に、上述した処理を実行する情報処理装置のハードウェア構成例について、図８を参照して説明する。図８に示す構成は、例えばＰＣなどによって構成される情報処理装置であり、プリンタなどのデータ出力部５３１を備えたハード構成例を示している。
【００６５】
ＣＰＵ（Central Processing Unit）５０１は、上述の実施例において説明した各種のデータ処理、すなわち、表示データ生成、出力結果レポート生成処理、プリント制御処理等の各処理の実行シーケンスを記述したコンピュータ・プログラムに従った処理を実行する制御部である。
【００６６】
ＲＯＭ（Read Only Memory）５０２は、ＣＰＵ５０１が使用するプログラムや演算パラメータ等を格納する。ＲＡＭ（Random Access Memory）５０３は、リスト表示対象の画像データ、さらに、ＣＰＵ５０１の実行において使用するプログラムや、その実行において適宜変化するパラメータ等を格納する。これらはＣＰＵバスなどから構成されるホストバス５０４により相互に接続されている。
【００６７】
ホストバス５０４は、ブリッジ５０５を介して、ＰＣＩ(Peripheral Component Interconnect/Interface)バスなどの外部バス５０６に接続されている。
【００６８】
キーボード５０８、ポインティングデバイス５０９は、ユーザにより操作される入力デバイスである。ディスプレイ５１０は、液晶表示装置またはＣＲＴ（Cathode Ray Tube）などから成り、各種情報をテキストやイメージ情報として表示する。
【００６９】
ＨＤＤ（Hard Disk Drive）５１１は、ハードディスクを内蔵し、ハードディスクを駆動し、ＣＰＵ５０１によって実行するプログラムや情報を記録または再生させる。ハードディスクは、各種のデータ処理プログラム等、各種コンピュータ・プログラムが格納される。
【００７０】
ドライブ５１２は、装着されている磁気ディスク、光ディスク、光磁気ディスク、または半導体メモリ等のリムーバブル記録媒体５２１に記録されているデータまたはプログラムを読み出して、そのデータまたはプログラムを、インタフェース５０７、外部バス５０６、ブリッジ５０５、およびホストバス５０４を介して接続されているＲＡＭ５０３に供給する。リムーバブル記録媒体５２１も、ハードディスクと同様のデータ記録領域として利用可能である。
【００７１】
接続ポート５１４は、外部接続機器５２２を接続するポートであり、ＵＳＢ，ＩＥＥＥ１３９４等の接続部を持つ。接続ポート５１４は、インタフェース５０７、および外部バス５０６、ブリッジ５０５、ホストバス５０４等を介してＣＰＵ５０１等に接続されている。通信部５１５は、ネットワークに接続され、外部とのデータ通信処理を実行する。データ出力部５３１は、データのプリント出力処理を実行する。
【００７２】
なお、図８に示す情報処理装置のハードウェア構成例は、１つの装置例を示すものであり、本発明の情報処理装置は、図８に示す構成に限らず、上述した実施例において説明した処理を実行可能な構成であればよい。
【００７３】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００７４】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００７５】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００７６】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００７７】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００７８】
以上、説明したように、本発明の構成によれば、例えば、記録媒体に記録された写真などの画像データをプリント出力する装置において、プリント出力を実行したデータのプリント結果情報、例えば、ユーザの指定プリント枚数と出力枚数の情報や、プリント出力画像のレイアウト情報、プリント出力日時情報、良好なプリントが実行されたか否かなどを記録したプリント結果情報をユーザ要求に応じて出力する構成としたので、ユーザは、出力済みのプリント画像データと、出力結果レポートを併せて取得することができ、後日、出力結果レポートを参照することで、どの画像をどのような態様で出力したかを確認することが可能となる。
【図面の簡単な説明】
【００７９】
【図１】本発明の情報処理装置の利用例を説明する図である。
【図２】本発明の情報処理装置の構成を説明する図である。
【図３】画像データファイルの構成例を説明する図である。
【図４】データの表示例について説明する図である。
【図５】出力結果レポートの構成例について説明する図である。
【図６】出力結果レポートの構成例について説明する図である。
【図７】本発明の情報処理装置における処理シーケンスについて説明するフローチャートを示す図である。
【図８】本発明の情報処理装置のハードウェア構成例について説明する図である。
【符号の説明】
【００８０】
１０１  デジタルカメラ
１０２  携帯電話
１０３，１０４  記録媒体
１２１，１２２  情報処理装置
１５０  記録媒体
２００  情報処理装置
２０１  記憶部
２０２  データ入力部
２０３  データ処理部
２０４  表示情報生成部
２０５  表示部
２０６  ユーザ入力部
２０７  レポート生成部
２０８  プリント制御部
２２１  ヘッダ
２２２  サムネイルデータ
２２３  画像データ
３０１  画像表示領域
３０２  ページ設定情報入力部
３０３  プリント料金表示部
３１１  サムネイル画像
３１２  出力枚数指定情報
３２１  ［レポートなし］設定ボタン
３２２  ［レポートあり（白黒）］設定ボタン
３２３  ［レポートあり（カラー）］設定ボタン
３２４  ［プリント中止］ボタン
３２５  ［プリントスタート］ボタン
３２６  状態情報表示領域
３５１  プリント属性情報部
３５２  プリント画像情報部
３５３  プリント枚数情報部
５０１  ＣＰＵ(Central Processing Unit)
５０２  ＲＯＭ（Read-Only-Memory）
５０３  ＲＡＭ（Random Access Memory）
５０４  ホストバス
５０５  ブリッジ
５０６  外部バス
５０７  インタフェース
５０８  キーボード
５０９  ポインティングデバイス
５１０  ディスプレイ
５１１  ＨＤＤ（Hard Disk Drive）
５１２  ドライブ
５１４  接続ポート
５１５  通信部
５２１  リムーバブル記録媒体
５２２  外部接続機器
５３１  データ出力部
【図２】
2008012711.tif 000003
【図７】
2008012711.tif 000004
【図８】
2008012711.tif 000005
【図１】
2008012711.tif 000006
【図３】
2008012711.tif 000007
【図４】
2008012711.tif 000008
【図５】
2008012711.tif 000009
【図６】
2008012711.tif 000010